(57)【要約】【課題】入力手段の配置、形状、色などを状況に応じて柔軟に変更することができる多層ワーク支援装置を提供する。【解決手段】多層ワーク支援装置１０において、表示制御プログラム２００の制御部２０６は、ボタン群記憶部２１８に記憶されているボタン群管理表及びボタン群管理表を参照してボタン１８の表示態様を決定し、表示部２１０を制御して情報アクセス装置１６に表示させる。制御部２０６は、スケジュール管理部２１２から時間による割り込みを入力した場合、生体情報取得部２１４からの生体情報に基づく割り込みを入力した場合、及び環境情報取得部２１６からの環境情報に基づく割り込みを入力した場合、所定の切替パターン及びボタンパターンに基づいてボタン１８の表示態様を制御し、決定する。表示部２１０は、制御部２０６により制御された表示態様で、ボタン１８を情報アクセス装置１６に表示する。【選択図】図５
2007164404.tif 000002
【特許請求の範囲】
【請求項１】
複数のボタンを含むボタン群及び当該ボタン群に含まれるボタンの表示態様を記憶するボタン群記憶手段と、
前記ボタン群記憶手段により記憶されているボタン群に含まれるボタンの表示態様を制御する制御手段と、
前記制御手段により制御された表示態様で、複数のボタンを含むボタン群を表示する表示手段と
を有する多層ワーク支援装置。
【請求項２】
前記制御手段は、予め設定された時間毎にボタンの表示態様を変更する
請求項１に記載の多層ワーク支援装置。
【請求項３】
生体情報を取得する生体情報取得手段をさらに有し、
前記制御手段は、前記生体情報取得手段により取得された生体情報に基づいてボタンの表示態様を変更する
請求項１又は２に記載の多層ワーク支援装置。
【請求項４】
環境情報を取得する環境情報取得手段をさらに有し、
前記制御手段は、前記環境情報取得手段により取得された環境情報にさらに基づいてボタンの表示態様を変更する
請求項１乃至３のいずれかに記載の多層ワーク支援装置。
【請求項５】
ディスプレイと、
前記ディスプレイに表示される対象を指定する複数のボタンと、
前記複数のボタンを含むボタン群及び当該ボタン群に含まれるボタンの表示態様を記憶するボタン群記憶手段と、
前記ボタン群記憶手段により記憶されているボタン群に含まれるボタンの表示態様、及び前記ディスプレイに表示されている対象の表示態様を制御する制御手段と、
前記制御手段により制御された表示態様で、複数のボタンを含むボタン群及び対象を表示する表示手段と
を有する多層ワーク支援装置。
【請求項６】
複数のボタンを含むボタン群及び当該ボタン群に含まれるボタンの表示態様を記憶し、
前記記憶されているボタン群に含まれるボタンの表示態様を制御し、
前記制御された表示態様で、複数のボタンを含むボタン群を表示する
多層ワーク支援装置の表示制御方法。
【請求項７】
コンピュータを含む多層ワーク支援装置において、
複数のボタンを含むボタン群及び当該ボタン群に含まれるボタンの表示態様を記憶するボタン群記憶ステップと、
前記記憶されているボタン群に含まれるボタンの表示態様を制御する制御ステップと、
前記制御された表示態様で、複数のボタンを含むボタン群を表示する表示ステップと
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
一般に、パーソナルコンピュータ（ＰＣ）のキーボードや車の運転席などの操作系は固定である。仮にこのような操作系が自分の好みの仕様に変更可能であったとしても、変更がなされるまでは、操作系は固定されたままである。
【０００３】
操作環境が電子的に定義されうると、操作環境はより柔軟に構成することができる。特に、操作系が作業者の気分に合わせて変更されると、作業者の周辺環境を自動的に演出させることが可能となる。例えば、作業者がくつろぎたい場合、作業者がコーヒーを飲むだけでなく周辺環境が変更されることにより、くつろぎの環境が提供されることができる。このため、作業者は、くつろぎたい時にはよりリラックスすることができ、作業時にはより仕事に集中することができる。
【０００４】
操作環境を柔軟に構成するものとして、ボタンパターンを複数登録する発明が開示されている。
特許文献１においては、キーボードやマウスなどの入力装置そのものを対象として、キーボードをユーザの好みにあわせて複数表示する装置が開示されている。しかしながら、キーがフラットパネル上に電子的に表示され、ユーザはこのキーをタッチで叩くので、少なくとも沢山の文字情報などを入力する手段としては、作業性・効率性に課題が残されている。
【０００５】
また、特許文献２においては、それぞれのキーを着脱可能にした装置が開示されている。しかしながら、この装置においてキーは電子的に実現されていないので、多数の機能を一つのキーに同時に割り当てることが困難である。
【０００６】
【特許文献１】特開平１−１４９１１９号公報
【特許文献２】特開平９−５４６４０号公報
【発明の開示】
【発明が解決しようとする課題】
【０００７】
本発明は、上述した背景からなされたものであり、入力手段の配置、形状、色などを状況に応じて柔軟に変更することができる多層ワーク支援装置を提供することを目的とする。
【課題を解決するための手段】
【０００８】
上記目的を達成するために、本発明に係る第１の多層ワーク支援装置は、複数のボタンを含むボタン群及び当該ボタン群に含まれるボタンの表示態様を記憶するボタン群記憶手段と、前記ボタン群記憶手段により記憶されているボタン群に含まれるボタンの表示態様を制御する制御手段と、前記制御手段により制御された表示態様で、複数のボタンを含むボタン群を表示する表示手段とを有する。
【０００９】
好適には、前記制御手段は、予め設定された時間毎にボタンの表示態様を変更する。
好適には、生体情報を取得する生体情報取得手段をさらに有し、前記制御手段は、前記生体情報取得手段により取得された生体情報に基づいてボタンの表示態様を変更する。
また、好適には、環境情報を取得する環境情報取得手段をさらに有し、前記制御手段は、前記環境情報取得手段により取得された環境情報にさらに基づいてボタンの表示態様を変更する。
【００１０】
本発明に係る第２の多層ワーク支援装置は、ディスプレイと、前記ディスプレイに表示される対象を指定する複数のボタンと、前記複数のボタンを含むボタン群及び当該ボタン群に含まれるボタンの表示態様を記憶するボタン群記憶手段と、前記ボタン群記憶手段により記憶されているボタン群に含まれるボタンの表示態様、及び前記ディスプレイに表示されている対象の表示態様を制御する制御手段と、前記制御手段により制御された表示態様で、複数のボタンを含むボタン群及び対象を表示する表示手段とを有する。
【００１１】
また、本発明に係る多層ワーク支援装置の表示制御方法は、複数のボタンを含むボタン群及び当該ボタン群に含まれるボタンの表示態様を記憶し、前記記憶されているボタン群に含まれるボタンの表示態様を制御し、前記制御された表示態様で、複数のボタンを含むボタン群を表示する。
【００１２】
さらに、本発明に係るプログラムは、コンピュータを含む多層ワーク支援装置において、複数のボタンを含むボタン群及び当該ボタン群に含まれるボタンの表示態様を記憶するボタン群記憶ステップと、前記記憶されているボタン群に含まれるボタンの表示態様を制御する制御ステップと、前記制御された表示態様で、複数のボタンを含むボタン群を表示する表示ステップとを前記多層ワーク支援装置のコンピュータに実行させる。
【発明の効果】
【００１３】
本発明に係る多層ワーク支援装置によれば、入力手段の配置、形状、色などを状況に応じて柔軟に変更することができる。
【発明を実施するための最良の形態】
【００１４】
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、入出力インターフェイス（ＩＦ）２２、生体情報取得装置２８、温度センサ３０、湿度センサ３２及び照度計３４を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００１５】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００１６】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよく、その数は本例に限定されない。
【００１７】
情報アクセス装置１６には、複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００１８】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びポインティングデバイスを含み、通信ケーブル２４を介して入出力ＩＦ２２と接続されて、多層ワーク支援装置１０の制御装置１００と、データを通信する。
【００１９】
生体情報取得装置２８は、ユーザ（生体）の情報、例えば、呼吸、心拍、脈拍、及び瞬き、瞳孔径、注視対象並びに注視時間など眼球に係る情報を取得する装置であって、装置本体１２に設けられている。生体情報取得装置２８は、デスクワーク中のユーザから任意のタイミングでこれらの情報を例えば非接触で取得する。
【００２０】
温度センサ３０は、温度により抵抗値を変化させて、装置本体１２の周辺の温度を検知する。湿度センサ３２は、湿度により抵抗値が変化させて湿度を検知する。照度計３４は、装置本体１２の周辺の明るさを測定する。
【００２１】
ユーザは、このような多層ワーク支援装置１０を用いて、ネットワークを介して提供されるＷｅｂページ、記憶装置内に格納されているファイル等にアクセスして、多くの仕事を多層的に行う。
【００２２】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００２３】
制御装置１００において、通信ＩＦ１０８は、中継装置１１２を介して、他の制御装置１００、外部の入力装置２６、生体情報取得装置２８、温度センサ３０、湿度センサ３２、照度計３４及びＬＡＮ，ＷＡＮ等のネットワーク２と所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２４】
中継装置１１２は、制御装置１００の間で送信及び受信されるデータを中継し、また、入力装置２６等の外部危機及びネットワーク２を介して接続される外部のコンピュータ（不図示）と、入出力ＩＦ２２を介して通信を行う。なお、この中継装置１１２は、サーバとして実現されてもよい。また、制御装置１００がＰＣなどのネットワークアドレスを有する形で実現される場合には、複数の制御装置１００が、中継装置１１２を介さず、直接ＰｔｏＰ方式で接続されてもよい。
【００２５】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００２６】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００２７】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００２８】
図３は、情報アクセス装置１６に表示されるボタン群を例示する図である。
図３（Ａ）に例示するように、ボタン群において、ボタン１８は、表示ボタン１８０−１〜１８０−ｍと、制御ボタン１８２−１〜１８２−ｎ（例えばｎ＝５）とに分類される。ボタン１８は、押下可能な形及びサイズで表示される。例えば、これらのボタン１８の形状は、円、楕円、三角形、四角形、五角形あるいは星型である。また、ボタン１８の背景画像は、所定の画像（自然風景の画像、キャラクタの画像など）であってもよい。
【００２９】
表示ボタン１８０及び制御ボタン１８２は、ボタン群において所定の位置に表示されており、例えば、表示ボタン１８０−１〜１８０−ｍは、左右の情報アクセス装置１６の上部に４行×５列で表示され、制御ボタン１８２−１〜１８２−５は、情報アクセス装置１６の最下段の行に表示される。情報アクセス装置１６は、これらのボタン１８を介してユーザにより行われる入力操作を受け付けて、制御装置１００上で動作する後述の表示制御プログラム２００に対して出力する。なお、ボタン群を構成するこれらのボタン１８の数、形状、配置等は、本例に限定されない。
【００３０】
表示ボタン１８０は、ディスプレイ１４に表示される対象を指定するボタンである。指定される対象には、Ｗｅｂページ、記憶装置１１０に保持されている電子ファイル、ネットワーク２を介して接続された他の電子機器に保持されている電子ファイル等が含まれる。また、表示ボタン１８０には、対象を示す所定の文字列（例えば「Ｘ社」）がラベルとして表示されている。例えば、表示ボタン１８０−１は、Ｘ社のＷｅｂページをディスプレイ１４に表示させるボタンである。また、例えば、表示ボタン１８０−４は、「報告書１」の電子ファイルをディスプレイ１４に表示させるボタンである。
【００３１】
表示ボタン１８０は、ワークセットをも指定するボタンである。ここで、ワークセットは、１つのワークを実施する際に、一緒に活用・参照される複数の対象のまとまりである。例えば論文執筆を例にとると、論文を書くためのワークセットが形成される。より具体的には、論文執筆というワークセットは、論文、関連資料、過去の特許公報、発明を表す図面など、展開される多くの情報の集合である。ユーザが、論文執筆というワークセットを指定する表示ボタン１８０（不図示）を押下すると、論文の本文を書くためのウィンドウ、関連資料を検索するためのインターネットブラウザ等、指定されたワークセットに含まれる複数の対象がディスプレイ１４に表示される。
【００３２】
制御ボタン１８２は、ディスプレイ１４に表示された対象を制御するためのボタンであり、これらのボタンのそれぞれに、所定の動作が割り当てられている。第１の制御ボタン１８２−１は、第１番目のボタン群及びこのボタン群に含まれる複数の表示ボタン１８０を情報アクセス装置１６に表示するためのボタンである。第２の制御ボタン１８２−２は、情報アクセス装置１６に現在表示されているボタン群の前のボタン群を表示するためのボタンである。第３の制御ボタン１８２−３は、表示されているボタン群を示す識別子（例えば、番号、又はボタン群を示すラベル名など）を表示するボタンである。第４の制御ボタン１８２−４は、現在表示されているボタン群の次のボタン群を表示するためのボタンである。第５の制御ボタン１８２−５は、最後のボタン群を表示するためのボタンである。
また、後述するように、リラックスモードとワークモードとを切り替えるための制御ボタン１８２（不図示）が設けられてもよい。
【００３３】
ボタン１８及びボタン群はユーザにより設定可能であり、設定内容は制御装置１００の記憶装置１１０に記憶される。このため、複数のボタン群が存在し、全てのボタン１８が情報アクセス装置１６の１画面に収まらない場合がある。
そこで、図３（Ｂ）に示すように、ボタン群は、制御ボタン１８２−１〜１８２−５が押下されることにより切り替えられて、情報アクセス装置１６に表示される。
このように、ボタン１８（表示ボタン１８０及び制御ボタン１８２）は、所定の機能（Ｗｅｂページ等の表示、ボタン群の切替えなど）を実行するためのボタンとして、情報アクセス装置１６により電子的に実現される。
【００３４】
図４は、表示ボタン１８０が押下されてディスプレイ１４に表示される対象を例示する図である。
図４に例示するように、ユーザが表示ボタン１８０−１を押下すると、ブラウザが起動されて、Ｘ社のＷｅｂページを示すウインドウ１４０がディスプレイ１４ａ〜１４ｃのいずれかに表示される。また、例えば、ユーザが表示ボタン１８０−４を押下すると、文書作成ソフトウェア等が起動されて、「報告書１」がディスプレイ１４に表示される。
このようにして、ユーザは、所望のＷｅｂページや電子ファイルをディスプレイ１４ａ〜１４ｃに表示させ、入力装置２６及び情報アクセス装置１６ａ，１６ｂを用いて作業を行う。
【００３５】
次に、本発明に係る多層ワーク支援装置１０の理解を容易にするために、本発明の概要を説明する。
図５は、多層ワーク支援装置１０により変更されたボタン１８（表示ボタン１８０及び制御ボタン１８２）の表示態様を例示する図であって、図５（Ａ）では、ボタン１８の表示態様が変更され、図５（Ｂ）では、ディスプレイ１４に表示されているウインドウ１４０の表示態様もまた変更されている。
【００３６】
図５（Ａ）に例示するように、多層ワーク支援装置１０は、ボタン１８の表示態様を所定の契機で変更する。本例では、ボタン１８の形状が、四角形から丸に変更されている。
さらに、図５（Ｂ）に例示するように、多層ワーク支援装置１０は、ディスプレイ１４に表示されている対象（ウインドウ１４０）の表示態様を変更してもよい。本例では、ボタン１８の形状が円柱に変更され、ウインドウ１４０の形状が波形に変更されている。多層ワーク支援装置１０は、例えばリラックスモードである場合、ボタン１８等を図５（Ｂ）に例示する表示態様に変更する。このとき、多層ワーク支援装置１０は、設定された音楽又は効果音があれば、これらの音楽等を出力してもよい。
【００３７】
図６は、多層ワーク支援装置１０により変更されたボタン１８の表示態様を例示する図であって、図６（Ａ）は、異なる数の表示ボタン１８０が情報アクセス装置１６ａ，１６ｂにおいて異なる表示態様で表示される場合を例示し、図６（Ｂ）は、表示ボタン１８０が異なる配置で表示される場合を例示する。
図６（Ａ）に例示するように、多層ワーク支援装置１０は、任意の数並びに大きさの表示ボタン１８０を含むボタン群を表示してもよい。また、図６（Ｂ）に例示するように、多層ワーク支援装置１０は、任意の位置に配置された表示ボタン１８０を含むボタン群を表示してもよい。
【００３８】
ボタン１８の表示態様は、ボタン１８の大きさ、色、形状、当該ボタン１８に表示される文字列（ラベル名）などの属性により決定され、これらの属性の少なくともいずれかが変更される。
多層ワーク支援装置１０は、これらの属性を含むボタンパターンであって予め設定された複数のボタンパターンを保持する。多層ワーク支援装置１０は、当該複数のボタンパターンから選択されたボタンパターンに基づいてボタン１８の表示態様を変更する。なお、ボタンパターンについては、後で詳述する。
【００３９】
多層ワーク支援装置１０は、ユーザにより指示された契機でボタン１８の表示態様を変更してもよい。例えば、表示態様切替ボタン（不図示）が制御ボタン１８２として設けられ、ユーザがこの表示態様切替ボタン（又はモード切替ボタン）を押下した契機で、表示態様が変更される。また、多層ワーク支援装置１０は、スケジューリングされた所定の契機でボタン１８の表示態様を変更してもよい。さらに、多層ワーク支援装置１０は、ユーザの生体情報（視線、脳波、呼気など）に基づいて表示態様を変更してもよいし、装置本体１２の周辺の環境情報（温度、湿度、明るさなど）に基づいて表示態様を変更してもよい。
【００４０】
次に、多層ワーク支援装置１０におけるボタン１８の表示態様の制御例を説明する。
第１の表示制御は、押下された表示ボタン１８０に基づいた表示制御である。表示ボタン１８０及びボタン群には、集中度要求水準、重要度、ユーモアの必要度、気分高揚必要度、納期等のタスク属性が設定されている。多層ワーク支援装置１０は、ユーザにより押下された表示ボタン１８０及び当該表示ボタンを含むボタン群のタスク属性に基づいてボタン群のボタン１８の表示態様を変更する。なお、これらのタスク属性はユーザにより設定されてもよい。
【００４１】
例えば、ユーザが「特許ワーク」というワークセットを指定する表示ボタン１８０（不図示）を押下した場合、多層ワーク支援装置１０は、押下された時刻を開始時点として時間計測をスタートし、１５分後に「和みボタンパターン」に基づく表示態様にボタンの表示態様を変更し、３０分後に雰囲気を変える「軽快なボタンパターン」に基づく表示態様に変更し、４５分後に切迫した雰囲気を出す「切迫ボタンパターン」に基づく表示態様に変更する。その後、ボタン１８の表示態様は６０分でリセットされて開始時点の表示態様に戻され、以降、表示態様の変更が同様に繰り返される。
【００４２】
第２の表示制御は、ユーザの指示に基づいた表示制御である。多層ワーク支援装置１０は、ホームモード（リラックスのためのモード）とワークモード（仕事のためのモード）とを切替える制御ボタン１８２を有してもよい。例えばホームモードでは、画面の背景画像、出力される音楽、ボタン１８の表示態様などが変更される。モードに応じて、スクリーンセイバーも変更されてもよい。さらに、多層ワーク支援装置１０は、ユーザの視線、脳波、脈拍などの生体情報を取得し、これらの生体情報に基づいて、疲労、集中、思考の停滞などを読み取り、音楽、音、光、送風、振動、温度(いすや筐体)、芳香などの環境に対して変化を加えて、ユーザに対してリラクゼーション効果及び促進効果を与えてもよい。
この場合、情報アクセス装置１６には、リラックスのためのボタン群が表示される。例えば、ユーザが情報アクセス装置１６に表示された芳香ボタンを押すと、多層ワーク支援装置１０は、状況に適した芳香を選択して放出する。
【００４３】
第３の表示制御は、環境情報に基づいた表示制御である。多層ワーク支援装置１０は、温度センサ３０、湿度センサ３２及び照度計３４により取得した温度等の環境情報に基づいてボタン１８の表示態様を変更する。多層ワーク支援装置１０は、所定の時間周期（例えば１時間ごと）で表示態様を変更してもよい。この場合、多層ワーク支援装置１０は、外部又は多層ワーク支援装置１０に含まれるスケジュール管理ソフトウェアにより管理される仕事に基づいて表示態様を変更してもよい。
【００４４】
例えば、多層ワーク支援装置１０は、温度センサ３０を介して装置本体１２の周辺の温度を取得し、温度が所定の温度より高い場合、ボタン群のボタンをクール系の表示態様に変更する。多層ワーク支援装置１０は、湿度センサ３２を介して装置本体１２の周辺の湿度を取得し、湿度が所定の湿度より高い場合、ボタン群のボタンを、カラッとさわやか系の表示態様に変更する。また、多層ワーク支援装置１０は、照度計３４を介して装置本体１２の周辺の明るさを取得し、明るさが所定値より小さい場合、ボタンを明るい色の表示態様に変更し、明るさが所定値より大きい場合、ボタンを暗い色の表示態様に変更する。
【００４５】
第４の表示制御は、生体情報に基づいた表示制御である。多層ワーク支援装置１０は、生体情報取得装置２８を介して視線などの生体情報を取得し、脳波の異常値、興奮度、視線の移動度などを分析する。多層ワーク支援装置１０は、分析結果により生体に疲労が観測された場合、生体をリラックスさせる表示態様にボタン１８を変更し、脳が活性化しているという意味での興奮が生体に見られた場合、このような興奮をさらに促進させる表示態様にボタン１８を変更する。また、多層ワーク支援装置１０は、分析結果に基づいて、生体を癒す表示態様に変更してもよいし、生体を鼓舞する表示態様に変更してもよい。
【００４６】
次に、上述した多層ワーク支援装置１０の表示制御方法を実現する表示制御プログラム２００について説明する。
図７は、多層ワーク支援装置１０の制御装置１００（図２）により実行される表示制御プログラム２００の構成を示す図である。
図７に示すように、表示制御プログラム２００は、ユーザインタフェース（ＵＩ）部２０２、通信部２０４、制御部２０６、指定受付部２０８、表示部２１０、スケジュール管理部２１２、生体情報取得部２１４、環境情報取得部２１６及びボタン群記憶部２１８を有する。表示制御プログラム２００は、これらの構成部分により、複数のボタンを含むボタン群及び当該ボタン群に含まれるボタンの表示態様を記憶し、前記記憶されているボタン群に含まれるボタンの表示態様を制御し、前記制御された表示態様で、複数のボタンを含むボタン群を表示する。
【００４７】
表示制御プログラム２００は、例えば、ネットワーク２、通信ＩＦ１０８（図２）などを介して処理装置１０２に供給され、メモリ１０６にロードされて、さらに処理装置１０２で動作するＯＳ上で、ハードウェアを具体的に利用して実行される。また、表示制御プログラム２００は、全ての制御装置１００ａ〜１００ｅにおいて実行されてもよいし、いずれかの制御装置１００において実行されてもよい。
【００４８】
表示制御プログラム２００において、ＵＩ部２０２は、情報アクセス装置１６並びに入力装置２６に対するユーザの操作及び生体情報取得装置２８により取得されたユーザの生体情報を受け入れ、後述する制御部２０６及び指定受付部２０８に対して出力する。ここで、ユーザの操作には、ボタン１８の押下（マウスによるクリックも含む）などが含まれる。また、ＵＩ部２０２は、後述する表示部２１０により作成された情報（画像データ、映像データ、音声データ等）及び各構成部分の処理内容などを、ディスプレイ１４及び情報アクセス装置１６に表示する。 
【００４９】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００５０】
ボタン群記憶部２１８は、ボタン１８並びにボタン群に関する情報（ボタン管理表及びボタン群管理表）を記憶する。これらの情報には、ボタン１８の表示態様も含まれる。ボタン群記憶部２１８は、記憶装置１１０（図２）及びメモリ１０６により実現される。なお、ボタン管理表及びボタン群管理表については、後で詳述する。
【００５１】
制御部２０６は、ユーザがいずれかの表示ボタン１８０を押下した旨をＵＩ部２０２を介して受け付けると、ボタン群記憶部２１８に記憶されている当該ボタンが指定する対象（Ｗｅｂページ、電子ファイルなど）を参照し、後述する表示部２１０を制御して、この対象をディスプレイ１４に表示させる。制御部２０６は、ユーザがいずれかの制御ボタン１８２−１〜１８２−５（図３）を押下した旨をＵＩ部２０２を介して受け付けると、ボタン群記憶部２１８に記憶されているボタン群を参照し、表示部２１０を制御して、ユーザにより指定されたボタン郡を情報アクセス装置１６に表示させる。
【００５２】
また、制御部２０６は、ボタン群記憶部２１８により記憶されているボタン群に含まれるボタン１８の表示態様を制御し、ディスプレイ１４に表示されているボタン１８の表示態様を、表示部２１０を介して当該制御された表示態様に変更する。好適には、制御部２０６は、後述するスケジュール管理部２１２からの出力を受け付けて、予め設定された時間毎にボタン１８の表示態様を変更する。
【００５３】
制御部２０６は、生体情報取得装置２８により取得された生体情報を、後述する生体情報取得部２１４を介して受け付けて、当該取得された生体情報に基づいてボタン１８の表示態様を変更する。さらに、制御部２０６は、温度センサ３０、湿度センサ３２及び照度計３４により取得された温度等の環境情報を、後述する環境情報取得部２１６を介して受け付けて、当該取得された環境情報に基づいてボタン１８の表示態様を変更する。
【００５４】
また、制御部２０６は、ディスプレイ１４に表示されている対象（ウインドウ）の表示態様を変更してもよい。このように、制御部２０６は、図５及び図６を参照して説明した表示態様の制御を行う。
【００５５】
指定受付部２０８は、ボタン、ボタン群、ボタンパターンなどに関する情報を、ＵＩ部２０２を介してユーザから受け付けて、ボタン群記憶部２１８により記憶されている当該情報に対して、登録、更新及び削除を行う。なお、指定受付部２０８は、更新等のための編集画面をディスプレイ１４に表示する。編集画面については、後で詳述する。
【００５６】
表示部２１０は、制御部２０６に制御されて、ユーザにより押下された表示ボタン１８０により指定される対象をディスプレイ１４に表示する。ここで、表示対象は、例えば、業務を実行するためのアプリケーションソフト（表計算ソフト、文書作成ソフト、遠隔会議用ソフト等）のウインドウ表示、Ｗｅｂページの表示等を含む。
また、表示部２１０は、制御部２０６により制御された表示態様で、複数のボタン１８を含むボタン群を情報アクセス装置１６に表示する。
【００５７】
スケジュール管理部２１２は、タイマを有し、所定の時刻を制御部２０６に対して出力する。また、スケジュール管理部２１２は、ユーザの業務内容を時間毎に記憶し、スケジューラとして機能する。なお、スケジュール管理部２１２は、外部のソフトウェアにより実現されてもよく、この場合、表示制御プログラム２００の制御部２０６は、当該外部のソフトウェアとスケジュールデータの送信及び受信を行って、ユーザの仕事が切り替わることを認識する。
【００５８】
生体情報取得部２１４は、生体情報取得装置２８により取得された生体の視線、呼吸、心拍などを受け付けて、制御部２０６に対して出力する。
環境情報取得部２１６は、温度センサ３０により取得された温度、湿度センサ３２により取得された湿度及び照度計３４により取得された明るさを受け付けて、制御部２０６に対して出力する。
【００５９】
図８は、ボタン群記憶部２１８により記憶されるボタン管理表を例示する。
図８に例示するように、ボタン管理表には、ボタン１８それぞれの属性が含まれる。ここで、ボタン１８の属性は、ボタン識別子（ＩＤ）、ラベル、リンク、表示態様、表示位置及びタスク属性である。
ＩＤは、ボタン１８を一意に識別する識別子であって、例えば「Ｂ」から始まる英数字により表される。ラベルは、ボタン１８が情報アクセス装置１６に表示される際に表示される文字列である。ラベルは、ワークモード、リラックスモード等のモード毎に設定されてもよく、本例では、ワークモードでは「特許ワーク」、リラックスモードでは「目指せ！はつめい！！」である。
【００６０】
リンクは、当該ボタン１８が押下されたときにディスプレイ１４に表示される対象を示し、例えば、ＵＲＬ、ファイル等の対象が保存されている場所へのパス、ＩＰアドレス等が登録されている。また、リンクには、これらの対象が、いずれのディスプレイ１４にどのように表示されるかが設定されている。例えば、当該ボタン１８が押下されると、左のディスプレイ１４ａには先行特許文献を示す複数のファイルがいわゆるタイリング表示され、中央のディスプレイ１４ｂには作成中の明細書を示すファイルが表示され、右のディスプレイには関連する複数のＷｅｂページがタイリング表示される。
【００６１】
表示態様は、当該ボタン１８の色、イメージ、形、効果音及びサイズを示す。ここで、イメージは、ボタン１８の背景として表示される画像ファイルであり、効果音は、ボタン１８が押下された際に出力される音であり、サイズは、ボタン１８の大きさであって例えばミリ単位表示や画素数で示される。それぞれのボタン１８は、この表示態様に基づいて表示される。
【００６２】
表示位置は、当該ボタン１８が表示されるボタン群ＩＤ、及びこのボタン群ＩＤにより示されるボタン群において表示される位置（例えば、Ｘ行Ｙ列、画素値など）を示す。例えば、表示位置が「３−２−４」である場合、ボタン１８は、ボタン群ＩＤが３であるボタン群（あるいは第３番目のボタン群）の２行４列の位置に表示される。また、表示位置として、複数（本例では３つ）の値が登録されている場合、ボタン１８が複数のボタン群に含まれることを示す。
【００６３】
タスク属性は、当該ボタン１８により指定される対象あるいはワークセットの集中度要求水準、重要度、ユーモアの必要度及び気分高揚必要度を含み、これらの項目は、例えば「大」「中」「小」の３段階で示される。また、タスク属性は、当該対象あるいはワークセットに設定されている納期を含む。表示制御プログラム２００の制御部２０６は、このタスク属性に基づいて表示態様を制御してもよい。
【００６４】
図９は、ボタン群記憶部２１８により記憶されるボタン表示態様表を例示する。
図９に示すように、ボタンの表示態様は、色、イメージ、形、効果音、サイズ等により決定され、これらの項目には、予め複数の値（選択肢）が登録されている。ユーザは、後述する編集画面を介してこれらの選択肢のいずれかを選択して、それぞれのボタン１８の表示態様を登録する。例えば、属性「色」では、選択肢として、白、ブルー、グリーンが登録されている。なお、編集画面においては、ボタン表示態様表が表示制御プログラム２００の指定受付部２０８により参照されて、登録されている選択肢が表示される。
【００６５】
図１０は、ボタン群記憶部２１８により記憶されるボタン群管理表を例示する。
図１０に例示するように、ボタン群管理表には、ボタン群それぞれの属性が含まれる。ここで、ボタン群の属性は、ボタン群ＩＤ、割り当て位置、ラベル、リンクボタンＩＤ、ボタン群一時カラー、ボタン群としてタスク属性である。
ボタン群ＩＤは、ボタン群を一意に識別する識別子であって、例えば「Ｇ」から始まる英数字である。
【００６６】
割り当て位置は、当該ボタン群が左右いずれの情報アクセス装置１６ａ，１６ｂに表示されるか、及び当該情報アクセス装置１６ａ，１６ｂにおいて表示される順序（ページ番号）を示す。例えば、割り当て位置が「Ｌ−０００９」である場合、当該ボタン群は、左の情報アクセス装置１６ａの第９番目に表示されるものである。
ラベルは、当該ボタン群が情報アクセス装置１６に表示される際に表示される文字列であって、例えば、制御ボタン１８２−３（図３）に表示される。なお、ラベルは、モード毎に設定されてもよい。
【００６７】
リンクボタンＩＤは、当該ボタン群に含まれるボタン１８のＩＤ（図８）を示す。これにより、ボタン群に含まれるボタン１８が識別される。
また、リンクボタンＩＤに、ボタン群ＩＤが含まれてもよい。この場合、当該ボタン群ＩＤが割り当てられた表示ボタン１８０が押下されると、このボタン群ＩＤを有するボタン群が情報アクセス装置１６に表示される。このようにして、ボタン群は、入れ子構造を形成することができる。
【００６８】
ボタン群一時カラーは、当該ボタン群に割り当てられた色であり、このボタン群に含まれるボタン１８は、当該色で表示される。なお、ボタン管理表において、ボタンの色が設定されている場合、ボタン１８に設定された色は、ボタン群に設定された色より優先され、ボタン１８は、当該ボタン１８に設定されている色で表示される。
【００６９】
ボタン群としてのタスク属性は、ボタン群としての集中度要求水準、重要度、ユーモアの必要度、気分高揚必要度並びに納期を含む。ボタン群としてのタスク属性は、表示制御プログラム２００の制御部２０６により参照されて、表示態様の制御に用いられる。なお、ボタン１８のタスク属性が設定されている場合、ボタン１８のタスク属性は、ボタン群としてのタスク属性より優先されて、表示制御プログラム２００の制御部２０６により参照される。
【００７０】
図１１は、表示制御プログラム２００の制御部２０６に保持されて用いられる切替パターン表を例示する。
図１１に例示するように、切替パターン表には、複数の切替パターンのパターン番号、パターン名称及びその内容が含まれる。表示制御プログラム２００の制御部２０６は、切替パターン表を保持し、ユーザにより押下された表示ボタン１８０、スケジュール管理部２１２から入力した時刻あるいはスケジュール、生体情報取得部２１４から入力した生体情報及び環境情報取得部２１６から入力した環境情報の少なくともいずれかに基づいていずれかの切替パターンを選択し、情報アクセス装置１６に表示されているボタン群のボタン及びディスプレイ１４に表示されている対象の表示態様を、選択された切替パターンに基づいて変更する。
【００７１】
例えば、切替パターン１は「時々リラックスパターン」であり、この切替パターンが選択されると、制御部２０６は、２０分おきに１分だけ一時的に、リラックス用のボタンパターン（以降、リラックスパターンともいう）の表示態様でボタン群のボタン１８を表示する。制御部２０６は、リラックスパターンでボタン１８を表示する場合、ボタン１８に設定されているリラックスモードのラベル（図８）を当該ボタン１８に表示し、当該リラックスパターンに設定されている表示態様でボタン１８を表示する。なお、このとき、制御部２０６は、ディスプレイ１４に表示されているウインドウ１４０の表示態様を制御してもよい。
【００７２】
ここで、ボタンパターンは、例えば、リラックス度により分類される複数の基本パターンのうちのいずれかであり、「リラックス度最大」、「リラックス度強」、「リラックス度中」、「リラックス度ゼロ＆鼓舞度ゼロ」、「鼓舞度中」、「鼓舞度強」及び「鼓舞度最大」から選択されるものである。なお、これらの基本パターンについては、後で詳述する。
【００７３】
また、例えば、切替パターン２は「６０分間の起承転結」であり、この切替パターンが選択されると、制御部２０６は、起承転結の開始時点から１５分後に音楽「金婚式」を出力し、３０分後に「革命」を出力し、４５分後に「家路」を出力し、６０分後に開始時点の音楽に戻るように音楽の出力を制御する。このように、制御部２０６は、ユーザの聴覚に対して影響を及ぼす制御を行ってもよい。
【００７４】
また、例えば、切替パターン３は「点滅パターン」であり、この切替パターンが選択されると、制御部２０６は、ボタン１８の色を１分おきに明るい色と暗い色とに切り替え、さらにボタン１８を明るい色で表示している間、所定の音楽を出力する。このように、制御部２０６は、ユーザの聴覚と視覚とに影響を及ぼす制御を行うので、ユーザは、リズムに乗ってより心地よく仕事を進めることができる。
【００７５】
さらに、例えば、切替パターン４は「グラデーション変化パターン」であり、この切替パターンが選択されると、制御部２０６は、１２個のパターンに基づいて、ボタン１８の色が少しずつ変化するように表示態様を制御する。例えば、制御部２０６は、ボタン１８の色が淡い色から濃い色へと次第に変化するように表示態様を制御する。
【００７６】
図１２は、表示制御プログラム２００の制御部２０６に保持されて用いられる基本パターン表を例示する。
図１２に例示するように、基本パターン表には、複数のボタンパターン（リラックス度最大、リラックス度強など）が含まれ、それぞれのボタンパターンには、ボタン１８の表示態様（イメージ、色、形状など）が規定されている。例えば、「リラックス度最大」パターンにおいては、イメージは「風景０１２」（所定の画像ファイル）であり、色は「深い青」であり、形状は「丸」であり、効果音は「水のせせらぎ」（所定の音声ファイル）である。いずれかのボタンパターンが制御部２０６により選択されると、当該選択されたボタンパターンに規定されている表示態様は、ボタン１８に設定されている表示態様よりも優先され、ボタン群に含まれるボタン１８は、このボタンパターンの表示態様で表示される。
【００７７】
なお、イメージは、ボタン１８の背景画像として用いられてもよいし、ディスプレイ１４全体の背景画像として用いられてもよい。また、効果音は、ボタン１８が押下された場合に出力されてもよいし、当該ボタンパターンが用いられている間、出力され続けてもよい。
【００７８】
図１３は、ボタン１８の属性を編集するためのボタン編集画面を例示する図である。
図１３に例示するように、ボタン編集画面は、ボタン１８の属性を入力するための入力部１４６、ボタン１８の属性を選択して入力するためのいわゆるポップアップメニュー表示手段１４８、及びプレビュー画面１５０を含む。ポップアップメニュー表示手段１４８が操作されると選択画面１５２が表示され、値がこの選択画面１５２において選択されると、この値が入力部１４６に入力される。
なお、図１３に示されるボタン編集画面において、表示される項目、項目の入力方法並びに選択方法は本例に限定されない。
【００７９】
ボタン編集画面は、ディスプレイ１４に表示される。ユーザがボタン編集画面を介して属性を入力すると、入力された値は、表示制御プログラム２００の指定受付部２０８に受け付けられる。指定受付部２０８は、入力された値を受け付けると、ボタン群記憶部２１８に記憶されているボタン管理表の当該ボタンに関するデータを登録・更新する。
【００８０】
図１４は、ボタン群を編集するためのボタン群編集画面を例示する図である。
図１４に例示するように、ボタン群編集画面も、ボタン編集画面（図１３）と同様に、入力部１４６、ポップアップメニュー表示手段１４８、プレビュー画面１５０等を含む。
ユーザがボタン群編集画面を介してボタン群を編集すると、入力された値は、表示制御プログラム２００の指定受付部２０８に受け付けられる。指定受付部２０８は、入力された値を受け付けると、ボタン群記憶部２１８に記憶されているボタン群管理表の当該ボタン群に関するデータを登録・更新する。
【００８１】
図１５は、多層ワーク支援装置１０の制御装置１００において、表示制御プログラム２００（図７）により実行される表示制御処理（Ｓ１０）を示すフローチャートである。
図１５に示すように、ステップ１００（Ｓ１００）において、表示制御プログラム２００の制御部２０６は、ボタン群記憶部２１８に記憶されているボタン群管理表（図１０）を参照し、情報アクセス装置１６に表示するボタン群のボタン群一時カラーを参照する。なお、制御部２０６は、当該ボタン群に対して表示態様に関するほかの属性（例えば、形、サイズ、イメージ、効果音など）が設定されている場合、これらの属性も参照する。制御部２０６は、ボタン群に設定されている表示態様を、ボタン群に含まれるボタン１８の表示態様に割り当てる。
【００８２】
ステップ１０２（Ｓ１０２）において、制御部２０６は、当該ボタン群に設定されているリンクボタンＩＤに基づいて、ボタン群記憶部２１８に記憶されているボタン管理表（図８）から当該リンクボタンＩＤのボタン１８を抽出し、これらのボタン１８それぞれに設定されている表示態様を参照する。制御部２０６は、ボタン１８に表示態様に関する属性が設定されている場合、これらの属性をボタンの表示態様に割り当て、ボタン１８に表示態様に関する属性が設定されていない場合、ボタン群に設定されている属性をボタンの表示態様に割り当てる。
【００８３】
ステップ１０４（Ｓ１０４）において、制御部２０６は、ボタン群のボタン１８それぞれをＳ１００及びＳ１０２の処理で決定された表示態様で表示する旨を表示部２１０に対して出力する。表示部２１０は、制御部２０６により制御された表示態様で、ボタン１８を含むボタン群を情報アクセス装置１６に表示する。
【００８４】
また、表示されたボタン群、又は表示ボタン１８０により指定された対象あるいはワークセットに対して切替パターン（図１１）が設定されており、この切替パターンが時間に応じてボタンの表示態様を変更するものである場合、制御部２０６は、スケジュール管理部２１２に対してタイマを起動する旨を出力する。スケジュール管理部２１２は、制御部２０６の制御によりタイマを起動する。
【００８５】
ステップ１０６（Ｓ１０６）において、制御部２０６は、スケジュール管理部２１２から時間による割り込みを入力したか否かを判定する。時間による割り込みがあった場合、制御部２０６はＳ１１０の処理に進み、そうでない場合、制御部２０６はＳ１０８の処理に進む。例えば、切替パターンが図１１に示される切替パターン２である場合、タイマが起動されてから１５分後、３０分後等に、割り込み処理が、スケジュール管理部２１２から制御部２０６に対してなされる。また、例えば、割り込み処理は、スケジュール管理部２１２により時間を管理された業務に応じてなされてもよい。
【００８６】
ステップ１０８（Ｓ１０８）において、制御部２０６は、生体情報取得部２１４からの生体情報に基づく割り込み及び環境情報取得部２１６からの環境情報に基づく割り込みの少なくともいずれかを入力したか否かを判定する。これらのいずれかの割り込みがあった場合、制御部２０６はＳ１１０の処理に進み、そうでない場合、制御部はＳ１０６の処理に戻る。
【００８７】
例えば、ユーザの呼吸数が所定数を超えた場合、ユーザの視線が所定の範囲に移動した場合等には、生体情報に基づく割り込み処理が、生体情報取得部２１４から制御部２０６に対してなされる。また、例えば、装置本体１２の周辺の明るさが所定値より小さくなった（即ち、暗くなった）場合、環境情報に基づく割り込み処理が、環境情報取得部２１６から制御部２０６に対してなされる。
【００８８】
ステップ１１０（Ｓ１１０）において、制御部２０６は、所定の切替パターン（図１１）及びボタンパターン（図１２）に基づいてボタン１８の表示態様（色、形など）を選択・決定する。制御部２０６は、割り込み処理が時間によるものであるか、生体情報によるものであるか、又は環境情報によるものであるかを判定し、判定結果に基づいてボタン１８の表示態様を決定してもよい。
【００８９】
例えば、割り込み処理が、ユーザの呼吸数などによりユーザが興奮している旨のものである場合、制御部２０６は、ユーザを鼓舞するボタンパターン（例えば、図１２に示される「鼓舞度最大」であるもの）にボタン１８の表示態様を変更する。また、例えば、割り込み処理が、辺りが暗くなったことによる環境情報に基づくものである場合、制御部２０６は、ユーザをリラックスさせるボタンパターン（例えば、図１２に示される「リラックス度強」であるもの）にボタン１８の表示態様を変更する。
【００９０】
ステップ１１２（Ｓ１１２）において、制御部２０６は、情報アクセス装置１６に表示されているボタン１８の表示態様を決定された表示態様に変更する旨を表示部２１０に対して出力する。表示部２１０は、制御部２０６により制御された表示態様で、ボタン１８を含むボタン群を表示する。なお、制御部２０６は、ディスプレイ１４に表示されている対象の表示態様を、表示部２１０を介して併せて変更してもよい。
【００９１】
このようにして、多層ワーク支援装置１０は、保持された切替パターン、ボタンパターン等に基づいてボタンの表示態様を変更する。また、多層ワーク支援装置１０は、ユーザにより指示されてボタンの表示態様を変更するだけでなく、時間、生体情報及び環境情報に基づいてボタンの表示態様を制御する。さらに、多層ワーク支援装置１０は、これらの情報に基づいてユーザをリラックスさせたり鼓舞したりする。
【００９２】
以上説明したように、本発明に係る多層ワーク支援装置１０は、複数のボタンを含むボタン群及び当該ボタン群に含まれるボタンの表示態様を記憶するボタン群記憶手段（ボタン群記憶部２１８）と、前記ボタン群記憶手段により記憶されているボタン群に含まれるボタンの表示態様を制御する制御手段（制御部２０６）と、前記制御手段により制御された表示態様で、複数のボタンを含むボタン群を表示する表示手段（表示部２１０）とを有する。
これにより、多層ワーク支援装置１０は、入力手段（ボタン１８）の配置、形状、色などを状況に応じて柔軟に変更することができる。
【００９３】
また、多層ワーク支援装置において、制御部２０６は、ボタンの表示態様を、予め設定された時間毎に変更し、取得された生体情報に基づいて変更し、さらに、取得された環境情報に基づいて変更する。
これにより、多層ワーク支援装置１０は、ボタンの配置、形状等を、状況に応じて変更することができる。
【図面の簡単な説明】
【００９４】
【図１】本発明の実施形態に係る多層ワーク支援装置１０を示す図である。
【図２】多層ワーク支援装置１０において用いられるコンピュータのハードウェア構成を示す図である。
【図３】情報アクセス装置１６に表示されるボタン群を例示する図である。
【図４】表示ボタン１８０が押下されてディスプレイ１４に表示される対象を例示する図である。
【図５】多層ワーク支援装置１０により変更されたボタン１８（表示ボタン１８０及び制御ボタン１８２）の表示態様を例示する図であって、図５（Ａ）では、ボタン１８の表示態様が変更され、図５（Ｂ）では、ディスプレイ１４に表示されているウインドウ１４０の表示態様もまた変更されている。
【図６】多層ワーク支援装置１０により変更されたボタン１８の表示態様を例示する図であって、図６（Ａ）は、異なる数の表示ボタン１８０が情報アクセス装置１６ａ，１６ｂにおいて異なる表示態様で表示される場合を例示し、図６（Ｂ）は、表示ボタン１８０が異なる配置で表示される場合を例示する。
【図７】多層ワーク支援装置１０の制御装置１００（図２）により実行される表示制御プログラム２００の構成を示す図である。
【図８】ボタン群記憶部２１８により記憶されるボタン管理表を例示する。
【図９】ボタン群記憶部２１８により記憶されるボタン態様表を例示する。
【図１０】ボタン群記憶部２１８により記憶されるボタン群管理表を例示する。
【図１１】表示制御プログラム２００の制御部２０６に保持されて用いられる切替パターン表を例示する。
【図１２】表示制御プログラム２００の制御部２０６に保持されて用いられる基本パターン表を例示する。
【図１３】ボタン１８の属性を編集するためのボタン編集画面を例示する図である。
【図１４】ボタン群を編集するためのボタン群編集画面を例示する図である。
【図１５】多層ワーク支援装置１０の制御装置１００において、表示制御プログラム２００（図７）により実行される表示制御処理（Ｓ１０）を示すフローチャートである。
【符号の説明】
【００９５】
１０ 多層ワーク支援装置
１２ 装置本体
１４ ディスプレイ
１６ 情報アクセス装置
１８ ボタン
２８ 生体情報取得装置
３０ 温度センサ
３２ 湿度センサ
３４ 照度計
１００ 制御装置
１０２ 処理装置
１０４  ＣＰＵ
１０６ メモリ
１１０ 記憶装置
１１２ 中継装置
１８０ 表示ボタン
１８２ 制御ボタン
２００ 表示制御プログラム
２０６ 制御部
２０８ 指定受付部
２１０ 表示部
２１２ スケジュール管理部
２１４ 生体情報取得部
２１６ 環境情報取得部
２１８ ボタン群記憶部
【図１】
2007164404.tif 000003
【図２】
2007164404.tif 000004
【図３】
2007164404.tif 000005
【図４】
2007164404.tif 000006
【図５】
2007164404.tif 000007
【図６】
2007164404.tif 000008
【図７】
2007164404.tif 000009
【図８】
2007164404.tif 000010
【図９】
2007164404.tif 000011
【図１０】
2007164404.tif 000012
【図１１】
2007164404.tif 000013
【図１２】
2007164404.tif 000014
【図１３】
2007164404.tif 000015
【図１４】
2007164404.tif 000016
【図１５】
2007164404.tif 000017